(57)【要約】【課題】複数の透過パネルの応答速度差に起因した表示画像の画質劣化を抑制できる技術を提供する。【解決手段】本発明の表示装置は、発光部と、印加される電圧によって透過率が制御され、発光部から発せられた光を透過する第１透過パネルと、印加される電圧によって透過率が制御され、第１透過パネルを透過した光を透過して表示面に画像を表示する第２透過パネルと、第１透過パネルに印加される電圧と第２透過パネルに印加される電圧をそれぞれ対象画像データに基づいて周期的に制御する制御手段と、を備え、第１透過パネルに印加される電圧と第２透過パネルに印加される電圧のそれぞれが制御される１周期において、制御手段は、第１透過パネルの応答速度と第２透過パネルの応答速度との差が所定の値以下になるように、第２透過パネルに印加される電圧を対象画像データに応じた電圧よりも高い電圧に一時的に制御する。【選択図】図２
2019191237.tif 000002
【特許請求の範囲】
【請求項１】
発光部と、
印加される電圧によって透過率が制御され、前記発光部から発せられた光を透過する第１透過パネルと、
印加される電圧によって透過率が制御され、前記発光部から発せられて前記第１透過パネルを透過した光を透過することにより表示面に画像を表示する第２透過パネルと、
前記第１透過パネルに印加される電圧と前記第２透過パネルに印加される電圧をそれぞれ対象画像データに基づいて周期的に制御する制御手段と、
を備え、
前記第１透過パネルに印加される電圧と前記第２透過パネルに印加される電圧のそれぞれが制御される１周期において、前記制御手段は、前記第１透過パネルの応答速度と前記第２透過パネルの応答速度との差が所定の値以下になるように、前記第２透過パネルに印加される電圧を前記対象画像データに応じた電圧よりも高い電圧に一時的に制御する
ことを特徴とする表示装置。
【請求項２】
前記制御手段は、前記第２透過パネルの応答速度が前記第１透過パネルの応答速度と略一致するように、前記第２透過パネルに印加される電圧を制御する
ことを特徴とする請求項１に記載の表示装置。
【請求項３】
前記１周期において、前記制御手段は、前記第２透過パネルに印加される電圧を、前記対象画像データに応じた電圧よりも高い電圧に一時的に制御して、前記対象画像データに応じた電圧に制御する
ことを特徴とする請求項１または２に記載の表示装置。
【請求項４】
前記第１透過パネルの温度と前記第２透過パネルの温度とに関する温度情報を取得する取得手段、をさらに備え、
前記制御手段は、少なくとも前記温度情報に基づいて、前記第２透過パネルに印加される電圧を制御する
ことを特徴とする請求項１〜３のいずれか１項に記載の表示装置。
【請求項５】
前記第２透過パネルに印加される電圧が、前記対象画像データに応じた電圧よりも高い電圧に一時的に制御されない場合の、前記第１透過パネルと前記第２透過パネルとの応答速度差を、少なくとも前記温度情報に基づいて判断する判断手段、をさらに備え、
前記制御手段は、前記応答速度差に応じて、前記第２透過パネルに印加される電圧を制御する
ことを特徴とする請求項４に記載の表示装置。
【請求項６】
前記表示装置の外部温度を検出する検出手段と、
ユーザ操作に応じて前記発光部の発光輝度を制御する発光制御手段と、
をさらに備え、
前記取得手段は、前記外部温度と前記ユーザ操作とに基づいて前記第１透過パネルの温度と前記第２透過パネルの温度とを推定することにより、その推定結果を前記温度情報として取得する
ことを特徴とする請求項４または５に記載の表示装置。
【請求項７】
前記対象画像データから、第１画像データと第２画像データとを生成する生成手段、をさらに備え、
前記第１透過パネルの透過率は、前記第１画像データに基づく電圧の印加によって制御され、
前記第２透過パネルの透過率は、前記第２画像データに基づく電圧の印加によって制御され、
前記制御手段は、少なくとも前記第１画像データの階調変化と前記第２画像データの階調変化とに基づいて、前記第２透過パネルに印加される電圧を制御する
ことを特徴とする請求項１〜６のいずれか１項に記載の表示装置。
【請求項８】
前記１周期において、前記制御手段は、さらに、前記第１透過パネルに印加される電圧を、前記対象画像データに応じた電圧よりも高い電圧に一時的に制御する
ことを特徴とする請求項１〜７のいずれか１項に記載の表示装置。
【請求項９】
発光部と、
印加電圧に応じた透過率で前記発光部から発せられた光を透過する第１透過パネルと、
印加電圧に応じた透過率で前記第１透過パネルを透過した光を透過して、表示面に画像を表示する第２透過パネルと、
対象画像データに基づいて、前記第１透過パネルの印加電圧、および前記第２透過パネルの印加電圧を制御する制御手段と、
前記第１透過パネルの温度と前記第２透過パネルの温度との差に関連するパラメータを取得する取得手段と、
を備え、
前記制御手段は、前記第１透過パネルの温度と前記第２透過パネルの温度との前記差が所定の値以上である場合に、前記第１透過パネルの印加電圧および前記第２透過パネルの印加電圧のうちいずれか一方を、そうでない場合よりも高い印加電圧に制御する
ことを特徴とする表示装置。
【請求項１０】
発光部と、
印加される電圧によって透過率が制御され、前記発光部から発せられた光を透過する第１透過パネルと、
印加される電圧によって透過率が制御され、前記発光部から発せられて前記第１透過パネルを透過した光を透過することにより表示面に画像を表示する第２透過パネルと、
を備える表示装置の制御方法であって、
前記第１透過パネルに印加される電圧と前記第２透過パネルに印加される電圧をそれぞれ対象画像データに基づいて周期的に制御する制御ステップを有し、
前記制御ステップでは、前記第１透過パネルに印加される電圧と前記第２透過パネルに印加される電圧のそれぞれが制御される１周期において、前記第１透過パネルの応答速度と前記第２透過パネルの応答速度との差が所定の値以下になるように、前記第２透過パネルに印加される電圧を前記対象画像データに応じた電圧よりも高い電圧に一時的に制御する
ことを特徴とする表示装置の制御方法。
【請求項１１】
前記制御ステップでは、前記第２透過パネルの応答速度が前記第１透過パネルの応答速度と略一致するように、前記第２透過パネルに印加される電圧を制御する
ことを特徴とする請求項１０に記載の表示装置の制御方法。
【請求項１２】
前記制御ステップでは、前記１周期において、前記第２透過パネルに印加される電圧を、前記対象画像データに応じた電圧よりも高い電圧に一時的に制御して、前記対象画像データに応じた電圧に制御する
ことを特徴とする請求項１０または１１に記載の表示装置の制御方法。
【請求項１３】
前記第１透過パネルの温度と前記第２透過パネルの温度とに関する温度情報を取得する取得ステップ、をさらに有し、
前記制御ステップでは、少なくとも前記温度情報に基づいて、前記第２透過パネルに印加される電圧を制御する
ことを特徴とする請求項１０〜１２のいずれか１項に記載の表示装置の制御方法。
【請求項１４】
前記第２透過パネルに印加される電圧が、前記対象画像データに応じた電圧よりも高い電圧に一時的に制御されない場合の、前記第１透過パネルと前記第２透過パネルとの応答速度差を、少なくとも前記温度情報に基づいて判断する判断ステップ、をさらに有し、
前記制御ステップでは、前記応答速度差に応じて、前記第２透過パネルに印加される電圧を制御する
ことを特徴とする請求項１３に記載の表示装置の制御方法。
【請求項１５】
前記表示装置の外部温度を検出する検出ステップと、
ユーザ操作に応じて前記発光部の発光輝度を制御する発光制御ステップと、
をさらに有し、
前記取得ステップでは、前記外部温度と前記ユーザ操作とに基づいて前記第１透過パネルの温度と前記第２透過パネルの温度とを推定することにより、その推定結果を前記温度情報として取得する
ことを特徴とする請求項１３または１４に記載の表示装置の制御方法。
【請求項１６】
前記対象画像データから、第１画像データと第２画像データとを生成する生成ステップ、をさらに有し、
前記第１透過パネルの透過率は、前記第１画像データに基づく電圧の印加によって制御され、
前記第２透過パネルの透過率は、前記第２画像データに基づく電圧の印加によって制御され、
前記制御ステップでは、少なくとも前記第１画像データの階調変化と前記第２画像データの階調変化とに基づいて、前記第２透過パネルに印加される電圧を制御する
ことを特徴とする請求項１０〜１５のいずれか１項に記載の表示装置の制御方法。
【請求項１７】
前記制御ステップでは、前記１周期において、さらに、前記第１透過パネルに印加される電圧を、前記対象画像データに応じた電圧よりも高い電圧に一時的に制御する
ことを特徴とする請求項１０〜１６のいずれか１項に記載の表示装置の制御方法。
【請求項１８】
発光部と、
印加電圧に応じた透過率で前記発光部から発せられた光を透過する第１透過パネルと、
印加電圧に応じた透過率で前記第１透過パネルを透過した光を透過して、表示面に画像を表示する第２透過パネルと、
を備える表示装置の制御方法であって、
対象画像データに基づいて、前記第１透過パネルの印加電圧、および前記第２透過パネルの印加電圧を制御する制御ステップと、
前記第１透過パネルの温度と前記第２透過パネルの温度との差に関連するパラメータを取得する取得ステップと、
を有し、
前記制御ステップでは、前記第１透過パネルの温度と前記第２透過パネルの温度との前記差が所定の値以上である場合に、前記第１透過パネルの印加電圧および前記第２透過パネルの印加電圧のうちいずれか一方を、そうでない場合よりも高い印加電圧に制御する
ことを特徴とする表示装置の制御方法。
【請求項１９】
請求項１０〜１８のいずれか１項に記載の表示装置の制御方法の各ステップをコンピュータに実行させるためのプログラム。
【請求項２０】
請求項１０〜１８のいずれか１項に記載の表示装置の制御方法の各ステップをコンピュータに実行させるためのプログラムを格納した、コンピュータが読み取り可能な記憶媒体。
【発明の詳細な説明】
【技術分野】
【０００１】
本発明は、発光部と２枚以上の透過パネルとを有する表示装置及びその制御方法に関する。
【背景技術】
【０００２】
表示装置に対して、表示画像（表示面に表示された画像）の忠実性向上が望まれている。具体的には、表示画像の明部と暗部の輝度比（コントラスト比；明暗比）の拡大、表示画像の明部から暗部への濃淡変化（階調）の正確性向上、等が望まれている。表示画像の階調数を増加させる技術として、重ね合った２枚の液晶パネル（透過パネル）のそれぞれを個別に駆動する技術がある。上記２枚の液晶パネルを備えた表示装置は「二重液晶表示装置」などと呼ばれる。
【０００３】
二重液晶表示装置の各液晶パネルは２枚のガラス板で液晶層を挟んだ構造を有するため、２枚の液晶パネルにそれぞれ対応する２枚の液晶層の間にスペースが生じる。このため、各液晶パネル（各液晶層）を同じ透過率に制御すると、表示面を斜めから見たときに、バックパネル（背面側の液晶パネル）に表示された画像がフロントパネル（前面側の液晶パネル）に表示された画像に重ならず、二重像が見えてしまう。このような二重像は、バックパネルに表示される画像の空間的な高周波成分を抑圧する空間ローパス処理により低減できる（特許文献１）。
【先行技術文献】
【特許文献】
【０００４】
【特許文献１】国際公開第２００７／０４０１２７号
【発明の概要】
【発明が解決しようとする課題】
【０００５】
しかしながら、二重液晶表示装置では、バックライトモジュールから発せられた光が２枚の液晶パネルを透過することを考慮して、バックライトモジュールの発光輝度が、液晶パネルが１枚である場合よりも高い発光輝度（約２倍）に制御される。このため、二重液晶表示装置では、液晶パネルが１枚である場合よりも、バックライトモジュールの消費電力や発熱量が大きく、各液晶パネルの温度が増加しやすい。
【０００６】
特に、バックパネルは、発熱体であるバックライトモジュールに近い。さらに、一般的に、バックパネルの不透過光の光量はフロントパネルの不透過光の光量よりも多く、不透過光は熱に変換される。バックパネルの不透過光は、バックライトモジュールからバックパネルに照射された光のうち、バックパネルを透過しない光である。フロントパネルの不透過光は、バックパネルからフロントパネルに照射された光のうち、フロントパネルを透過しない光である。これらにより、バックパネルとフロントパネルの温度差として、バックパネルの温度がフロントパネルの温度よりも高い温度差が生じる。
【０００７】
液晶パネルの応答速度は、液晶パネルの温度が高いほど速い。上述したように、バックパネルとフロントパネルの温度差として、バックパネルの温度がフロントパネルの温度よりも高い温度差が生じる。このため、バックパネルとフロントパネルの応答速度差として、バックパネルの応答速度がフロントパネルの応答速度よりも速い応答速度差が生じる。
【０００８】
そして、上述した応答速度差により、表示画像の画質劣化が生じてしまう。例えば、動画を表示する場合に、バックパネルの透過率が所望の透過率に到達するタイミングと、フ
ロントパネルの透過率が所望の透過率に到達するタイミングとのずれが生じ、表示画像の輝度低下、二重像の増加、等が生じる。
【０００９】
本発明は、複数の透過パネルの応答速度差に起因した表示画像の画質劣化を抑制できる技術を提供することを目的とする。
【課題を解決するための手段】
【００１０】
本発明の第１の態様は、
発光部と、
印加される電圧によって透過率が制御され、前記発光部から発せられた光を透過する第１透過パネルと、
印加される電圧によって透過率が制御され、前記発光部から発せられて前記第１透過パネルを透過した光を透過することにより表示面に画像を表示する第２透過パネルと、
前記第１透過パネルに印加される電圧と前記第２透過パネルに印加される電圧をそれぞれ対象画像データに基づいて周期的に制御する制御手段と、
を備え、
前記第１透過パネルに印加される電圧と前記第２透過パネルに印加される電圧のそれぞれが制御される１周期において、前記制御手段は、前記第１透過パネルの応答速度と前記第２透過パネルの応答速度との差が所定の値以下になるように、前記第２透過パネルに印加される電圧を前記対象画像データに応じた電圧よりも高い電圧に一時的に制御する
ことを特徴とする表示装置である。
【００１１】
本発明の第２の態様は、
発光部と、
印加電圧に応じた透過率で前記発光部から発せられた光を透過する第１透過パネルと、
印加電圧に応じた透過率で前記第１透過パネルを透過した光を透過して、表示面に画像を表示する第２透過パネルと、
対象画像データに基づいて、前記第１透過パネルの印加電圧、および前記第２透過パネルの印加電圧を制御する制御手段と、
前記第１透過パネルの温度と前記第２透過パネルの温度との差に関連するパラメータを取得する取得手段と、
を備え、
前記制御手段は、前記第１透過パネルの温度と前記第２透過パネルの温度との前記差が所定の値以上である場合に、前記第１透過パネルの印加電圧および前記第２透過パネルの印加電圧のうちいずれか一方を、そうでない場合よりも高い印加電圧に制御する
ことを特徴とする表示装置である。
【００１２】
本発明の第３の態様は、
発光部と、
印加される電圧によって透過率が制御され、前記発光部から発せられた光を透過する第１透過パネルと、
印加される電圧によって透過率が制御され、前記発光部から発せられて前記第１透過パネルを透過した光を透過することにより表示面に画像を表示する第２透過パネルと、
を備える表示装置の制御方法であって、
前記第１透過パネルに印加される電圧と前記第２透過パネルに印加される電圧をそれぞれ対象画像データに基づいて周期的に制御する制御ステップを有し、
前記制御ステップでは、前記第１透過パネルに印加される電圧と前記第２透過パネルに印加される電圧のそれぞれが制御される１周期において、前記第１透過パネルの応答速度と前記第２透過パネルの応答速度との差が所定の値以下になるように、前記第２透過パネルに印加される電圧を前記対象画像データに応じた電圧よりも高い電圧に一時的に制御す
る
ことを特徴とする表示装置の制御方法である。
【００１３】
本発明の第４の態様は、
発光部と、
印加電圧に応じた透過率で前記発光部から発せられた光を透過する第１透過パネルと、
印加電圧に応じた透過率で前記第１透過パネルを透過した光を透過して、表示面に画像を表示する第２透過パネルと、
を備える表示装置の制御方法であって、
対象画像データに基づいて、前記第１透過パネルの印加電圧、および前記第２透過パネルの印加電圧を制御する制御ステップと、
前記第１透過パネルの温度と前記第２透過パネルの温度との差に関連するパラメータを取得する取得ステップと、
を有し、
前記制御ステップでは、前記第１透過パネルの温度と前記第２透過パネルの温度との前記差が所定の値以上である場合に、前記第１透過パネルの印加電圧および前記第２透過パネルの印加電圧のうちいずれか一方を、そうでない場合よりも高い印加電圧に制御する
ことを特徴とする表示装置の制御方法である。
【００１４】
本発明の第５の態様は、上述した表示装置の制御方法の各ステップをコンピュータに実行させるためのプログラムである。本発明の第６の態様は、上述した表示装置の制御方法の各ステップをコンピュータに実行させるためのプログラムを格納した、コンピュータが読み取り可能な記憶媒体である。
【発明の効果】
【００１５】
本発明によれば、複数の透過パネルの応答速度差に起因した表示画像の画質劣化を抑制できる。
【図面の簡単な説明】
【００１６】
【図１】実施例１に係る表示装置の構成の一例を示す概略図
【図２】実施例１に係る表示装置の構成の一例を示すブロック図
【図３】実施例１に係る処理フロー例を示すフローチャート
【図４】実施例１に係る透過パネルの温度と応答速度の対応関係の一例を示す図
【図５】実施例１に係る階調値と通常電圧の対応関係の一例を示す図
【図６】実施例１に係る階調値の時間変化の一例を示す図
【図７】透過率の時間変化の一例を示す図
【図８】対象画像データによって表された画像の一例を示す図
【図９】表示輝度と透過率の分布の一例を示す図
【図１０】表示輝度と透過率の分布の一例を示す図
【図１１】実施例１に係る印加電圧の時間変化の一例を示す図
【図１２】実施例１に係る透過率の時間変化の一例を示す図
【図１３】実施例２に係る階調変化と応答速度の対応関係の一例を示す図
【図１４】実施例２に係る階調特性の一例を示す図
【図１５】実施例２に係る表示装置の構成の一例を示すブロック図
【発明を実施するための形態】
【００１７】
＜実施例１＞
以下、本発明の実施例１について説明する。図１は、本実施例に係る表示装置（二重液晶表示装置）１００の構成の一例を示す概略図である。表示装置１００は、フロントパネル１０４、バックパネル１０５、及び、バックライトモジュール１０６を有する。以後、
バックライトモジュール１０６から表示面に向かう方向を前方向として説明を行う。バックパネル１０５はバックライトモジュール１０６に対して前側（前面側）に設けられた液晶パネルであり、フロントパネル１０４はバックパネル１０５に対して前側に設けられた液晶パネルである。バックライトモジュール１０６から発せられた光が、バックパネル１０５とフロントパネル１０４をその順番で透過することで、表示面に画像が表示される。また、表示装置１００は、外装ベゼル、電源、操作キー、各種回路、等の不図示の部材を有する。
【００１８】
なお、フロントパネル１０４とバックパネル１０５のそれぞれは、透過パネル（透過型の表示パネル）であればよく、液晶パネルでなくてもよい。例えば、フロントパネル１０４とバックパネル１０５の少なくとも一方は、表示素子としてＭＥＭＳ（Ｍｉｃｒｏ  Ｅｌｅｃｔｒｏ  Ｍｅｃｈａｎｉｃａｌ  Ｓｙｓｔｅｍ）シャッターを有するＭＥＭＳシャッター方式表示パネルであってもよい。モアレ防止などのために、フロントパネル１０４とバックパネル１０５の間に、光学シート、所定の空間、等が設けられてもよい。
【００１９】
図２は、表示装置１００の構成の一例を示すブロック図である。表示装置１００は、画像データ入力部１０１、フロントパネル駆動回路部１０２、バックパネル駆動回路部１０３、フロントパネル１０４、バックパネル１０５、バックライトモジュール１０６、温度検出部１０７、記憶部１０８、及び、制御部１０９を有する。
【００２０】
画像データ入力部１０１は、不図示の外部装置から出力される対象画像データ（入力画像データ）を取得し、対象画像データをフロントパネル駆動回路部１０２、バックパネル駆動回路部１０３、及び、制御部１０９へ出力する。例えば、画像データ入力部１０１は、ＳＤＩ、ＨＤＭＩ、等の規格に準拠した入力端子であり、外部装置は、撮像装置、再生装置、等である。
【００２１】
なお、表示装置１００は、画像データを記憶する記憶部を有してもよく、画像データ入力部１０１は、記憶部に記録された画像データを、対象画像データとして記憶部から取得してもよい。対象画像データは、外部装置から出力される画像データ、記憶部に記録された画像データ、等に限られない。例えば、表示装置１００は、外部装置から出力される画像データ、記憶部に記録された画像データ、等に所定の処理を施す処理部を有してもよく、所定の処理が施された後の画像データが、対象画像データとして使用されてもよい。所定の処理は、例えば、デコード処理、解像度変換処理、ぼかし処理、エッジ強調処理、輝度変換処理、色変換処理、等である。
【００２２】
フロントパネル駆動回路部１０２は、フロントパネル１０４に印加される電圧を対象画像データに基づいて周期的に制御する。本実施例では、フロントパネル１０４の印加電圧が制御される各周期において、フロントパネル駆動回路部１０２は、対象画像データに基づく電圧（液晶駆動信号）をフロントパネル１０４に印加する。これにより、各周期において、フロントパネル１０４の透過率が対象画像データに基づく透過率に制御される。フロントパネル駆動回路部１０２には、フロントパネル１０４の印加電圧が制御される１周期において対象画像データに応じた電圧よりも高い電圧を一時的に発生するオーバードライブ回路が搭載されている。フロントパネル駆動回路部１０２は、フロントパネル１０４に対して、対象画像データに応じた電圧を印加したり、オーバードライブ回路で発生した電圧を印加したりできる。フロントパネル駆動回路部１０２は、オーバードライブ回路で発生した電圧を印加するか否かを、制御部１０９からの指示に従って切り替える。オーバードライブ回路で発生した電圧をフロントパネル１０４に印加することにより、フロントパネルの応答速度を高めることができる。透過パネルの応答速度は、「透過パネルへの、対象画像データに基づく電圧の印加が開始されるタイミングから、対象画像データに応じた目標の透過率に透過パネルの透過率が達するタイミングまでの時間（応答時間）」とも
言える。
【００２３】
バックパネル駆動回路部１０３は、バックパネル１０５に印加される電圧を対象画像データに基づいて周期的に制御する。本実施例では、バックパネル１０５の印加電圧が制御される各周期において、バックパネル駆動回路部１０３は、対象画像データに基づく電圧（液晶駆動信号）をバックパネル１０５に印加する。これにより、各周期において、バックパネル１０５の透過率が対象画像データに基づく透過率に制御される。本実施例では、バックパネル駆動回路部１０３は、対象画像データに応じた電圧をバックパネル１０５に印加する。具体的には、バックパネル駆動回路部１０３は、画像の空間的な高周波成分を抑圧する空間ローパス処理を対象画像データに施すことにより、処理画像データを生成する。そして、バックパネル駆動回路部１０３は、処理画像データに応じた電圧をバックパネル１０５に印加する。空間ローパス処理は予め定められた処理であるため、「処理画像データに応じた電圧」は「対象画像データに応じた電圧」とも言える。
【００２４】
なお、フロントパネル１０４の印加電圧が制御される１周期は、バックパネル１０５の印加電圧が制御される１周期と等しい。そして、フロントパネル１０４の印加電圧とバックパネル１０５の印加電圧とのそれぞれが制御される１周期は、フロントパネル１０４の印加電圧と透過率、および、バックパネル１０５の印加電圧と透過率が制御される１制御期間とも言える。１制御期間は、例えば、対象画像データの１フレーム期間である。
【００２５】
バックライトモジュール１０６は、前側に光を発する発光部である。バックライトモジュール１０６は、１つ以上の光源（発光素子）を有する。光源として、例えば、発光ダイオード（ＬＥＤ：Ｌｉｇｈｔ  Ｅｍｉｔｔｉｎｇ  Ｄｉｏｄｅ）、冷陰極管（ＣＣＦＬ：Ｃｏｌｄ  Ｃａｔｈｏｄｅ  Ｆｌｕｏｒｅｓｃｅｎｔ  ｌａｍｐ）、エレクトロルミネッセンス（ＥＬ：Ｅｌｅｃｔｒｏ  Ｌｕｍｉｎｅｓｃｅｎｃｅ）素子、等を使用できる。バックパネル１０５の背面に光を照射できれば、バックライトモジュール１０６の構成は特に限定されない。例えば、バックライトモジュール１０６の構成（型）は、直下型であってもよいし、エッジライト型であってもよいし、平面光源型であってもよい。バックライトモジュール１０６は、発光色が互いに異なる複数の光源を有してもよいし、そうでなくてもよい。例えば、バックライトモジュール１０６は、白色光源のみを有してもよいし、赤色光源、緑色光源、及び、青色光源を有してもよい。バックライトモジュール１０６は、白色光源、赤色光源、緑色光源、及び、青色光源を有してもよい。
【００２６】
バックパネル１０５は、バックパネル駆動回路部１０３からの電圧の印加によって透過率が制御され、バックライトモジュール１０６から発せられた光を透過する液晶パネルである。フロントパネル１０４は、フロントパネル駆動回路部１０２からの電圧の印加によって透過率が制御され、バックライトモジュール１０６から発せられてバックパネル１０５を透過した光を透過することにより表示面に画像を表示する液晶パネルである。
【００２７】
液晶パネルの構成には、液晶分子の配置方法、液晶分子の駆動方法、等が互いに異なる複数の構成がある。例えば、液晶パネルの駆動方法（駆動方式）として、ＴＮ（Ｔｗｉｓｔｅｄ  Ｎｅｍａｔｉｃ）方式、ＶＡ（Ｖｅｒｔｉｃａｌ  Ａｌｉｇｎｍｅｎｔ）方式、ＩＰＳ（Ｉｎ−Ｐｌａｎｅ−Ｓｗｉｔｃｈｉｎｇ）方式、等がある。また、液晶パネルとして、カラーフィルタを有するカラー液晶パネル、カラーフィルタを有さないモノクロ液晶パネル、等がある。印加電圧を制御することで透過率を制御できれば、フロントパネル１０４の構成およびバックパネル１０５の構成は特に限定されない。例えば、フロントパネル１０４およびバックパネル１０５のそれぞれの駆動方式は、ＴＮ方式であってもよいし、ＶＡ方式であってもよいし、ＩＰＳ方式であってもよい。ＩＰＳ方式の液晶パネルは優れた発色特性を有するため、ＩＰＳ方式の液晶パネルを使用するのが好ましい。フロントパネル１０４およびバックパネル１０５のそれぞれは、モノクロ液晶パネルであっても
よいし、カラー液晶パネルであってもよい。フロントパネル１０４の構成はバックパネル１０５の構成と異なってもよい。例えば、バックパネル１０５がモノクロ液晶パネルであり、且つ、フロントパネル１０４がカラー液晶パネルであるという構成が採用されてもよい。
【００２８】
温度検出部１０７は、フロントパネル１０４の温度とバックパネル１０５の温度とに関する温度情報を取得し、温度情報を制御部１０９へ出力する。具体的には、温度検出部１０７は、フロントパネル１０４の温度を検出する温度センサ（サーミスタなど）と、バックパネル１０５の温度を検出する温度センサとを有し、これら２つの温度センサの温度検出値を温度情報として出力する。
【００２９】
なお、フロントパネル１０４の温度とバックパネル１０５の温度との取得方法は上記方法に限られない。例えば、フロントパネル１０４の温度とバックパネル１０５の温度との一方が温度センサで検出され、フロントパネル１０４の温度とバックパネル１０５の温度との他方が温度センサの温度検出値に基づいて推定されてもよい。フロントパネル１０４の温度とバックパネル１０５の温度との関連性が高い箇所の温度が温度センサで検出され、フロントパネル１０４の温度とバックパネル１０５の温度とが温度センサの温度検出値に基づいて推定されてもよい。バックパネル１０５の温度と密接な関係があるバックライトモジュール１０６の駆動条件（発光輝度など）と、表示装置１００の外部温度とに基づいて、フロントパネル１０４の温度とバックパネル１０５の温度とが推定されてもよい。
【００３０】
温度情報は、フロントパネル１０４の温度とバックパネル１０５の温度とを示す情報でなくてもよい。或るパラメータからフロントパネル１０４の温度とバックパネル１０５の温度とを取得できる場合には、当該パラメータが温度情報として使用されてもよい。例えば、バックライトモジュール１０６の駆動条件と表示装置１００の外部温度とを示す情報が温度情報として使用されてもよい。
【００３１】
記憶部１０８は、種々の情報を記憶する。例えば、記憶部１０８は、透過パネルの温度と透過パネルの応答速度との対応関係を示す応答速度情報（テーブルや関数）を記憶する。本実施例では、フロントパネル１０４の温度とフロントパネル１０４の応答速度との対応関係が、バックパネル１０５の温度とバックパネル１０５の応答速度との対応関係と等しいとする。応答速度情報によって示された対応関係は、フロントパネル１０４の温度とフロントパネル１０４の応答速度との対応関係であり、バックパネル１０５の温度とバックパネル１０５の応答速度との対応関係でもある。応答速度情報は、表示装置１００の製造検査時などにおいて記憶部１０８に予め記録される。さらに、記憶部１０８は、後述する各種処理（制御）を行うためのプログラムを記憶する。
【００３２】
なお、フロントパネル１０４の温度とフロントパネル１０４の応答速度との対応関係は、バックパネル１０５の温度とバックパネル１０５の応答速度との対応関係と異なってもよい。そして、記憶部１０８は、フロントパネル１０４の温度とフロントパネル１０４の応答速度との対応関係を示す情報と、バックパネル１０５の温度とバックパネル１０５の応答速度との対応関係を示す情報とを個別に記憶してもよい。
【００３３】
制御部１０９は、ＣＰＵやＦＰＧＡ（Ｆｉｅｌｄ  Ｐｒｏｇｒａｍｍａｂｌｅ  Ｇａｔｅ  Ａｒｒａｙ）により構成され、記憶部１０８から読み込んだプログラムを実行することによって後述する各種処理を実現する。
【００３４】
本実施例では、制御部１０９は、フロントパネル１０４の応答速度とバックパネル１０５の応答速度との差が所定の閾値以下になるように、フロントパネル１０４に印加される電圧（フロントパネル１０４の印加電圧）を制御する。具体的には、制御部１０９は、温
度検出部１０７によって得られた温度情報、記憶部１０８に記録された応答速度情報、画像データ入力部１０１によって得られた対象画像データ、等に基づいて、フロントパネル１０４の印加電圧を決定する。そして、制御部１０９は、決定した印加電圧をフロントパネル駆動回路部１０２に通知する。フロントパネル駆動回路部１０２は、制御部１０９から通知された電圧（フロントパネル１０４の印加電圧）を、フロントパネル１０４に印加する。
【００３５】
フロントパネル１０４の印加電圧として、対象画像データに応じた電圧よりも高い電圧（オーバードライブ電圧）が決定されることがある。その場合には、対応する１制御期間において、フロントパネル駆動回路部１０２は、オーバードライブ回路を用いて、通知されたオーバードライブ電圧をフロントパネル１０４に対して一時的に印加する（フロントパネル１０４のオーバードライブ駆動）。フロントパネル１０４のオーバードライブ駆動では、例えば、フロントパネル１０４の印加電圧は、オーバードライブ電圧に一時的に制御された後に、対象画像データに応じた電圧（通常電圧）に制御される。
【００３６】
フロントパネル１０４の印加電圧はフロントパネル駆動回路部１０２によって発生するが、フロントパネル駆動回路部１０２は、フロントパネル１０４の印加電圧として、制御部１０９からの指示（電圧の通知）に応じた電圧を発生する。このため、「フロントパネル１０４の印加電圧はフロントパネル駆動回路部１０２によって制御される」とも言えるし、「フロントパネル１０４の印加電圧は制御部１０９によって制御される」とも言える。
【００３７】
図３は、制御部１０９の処理フロー例を示すフローチャートである。図３の処理フローは、例えば、表示装置１００の電源を入れる電源ＯＮ操作に応じて開始される。ここでは、フロントパネル１０４の温度が２３℃であり、バックパネル１０５の温度が３０℃であるとする。また、簡単化のため、対象画像データの階調値が３ビットの値（０以上かつ７以下の値）であるとする。
【００３８】
ステップＳ１１１にて、制御部１０９は、温度検出部１０７から温度情報（フロントパネル１０４の温度、及び、バックパネル１０５の温度）を取得する。
【００３９】
ステップＳ１１２にて、制御部１０９は、ステップＳ１１１で取得された温度情報と、記憶部１０８に記録された応答速度情報とに基づいて、フロントパネル１０４の応答速度とバックパネル１０５の応答速度とを判断する。図４は、応答速度情報（透過パネルの温度と透過パネルの応答速度との対応関係）の一例を示す図である。応答速度が速いほど、応答速度の値（時間）は小さくなる。図４の例では、透過パネルの応答速度は透過パネルの温度に反比例する。このため、フロントパネル１０４の温度とバックパネル１０５の温度との少なくとも一方が低い場合には、そうでない場合に比べ、フロントパネル１０４の応答速度とバックパネル１０５の応答速度との差（応答速度差）が生じやすい。そして、フロントパネル１０４の温度とバックパネル１０５の温度との両方が高い場合には、そうでない場合に比べ、フロントパネル１０４とバックパネル１０５の応答速度差が生じ難い。上述したように、フロントパネル１０４の温度は２３℃であり、バックパネル１０５の温度は３０℃である。このため、図４の応答速度情報から、フロントパネル１０４の応答速度が３０ｍｓｅｃであると判断され、バックパネル１０５の応答速度が２３ｍｓｅｃであると判断される。
【００４０】
ステップＳ１１３にて、制御部１０９は、ステップＳ１１２で判断した応答速度を用いて、フロントパネル１０４の応答速度とバックパネル１０５の応答速度との差（応答速度差）を算出する。ここでは、応答速度差７ｍｓｅｃ（＝３０ｍｓｅｃ−２３ｍｓｅｃ）が算出される。応答速度情報によって示された応答速度は、オーバードライブ駆動が行われ
ない場合の応答速度である。このため、ステップＳ１１２では、オーバードライブ駆動が行われない場合の応答速度が判断され、ステップＳ１１３では、オーバードライブ駆動が行われない場合の応答速度差が算出（判断）される。
【００４１】
ステップＳ１１４にて、制御部１０９は、ステップＳ１１３で算出した応答速度差が所定の閾値よりも大きいか否かを判断する。応答速度差が所定の閾値よりも大きいと判断された場合にはステップＳ１１６へ処理が進められ、そうでない場合（応答速度差が所定の閾値以下である場合）にはステップＳ１１５へ処理が進められる。所定の閾値は特に限定されないが、本実施例では所定の閾値が５ｍｓｅｃであるとする。応答速度差７ｍｓｅｃは所定の閾値５ｍｓｅｃよりも大きいため、ステップＳ１１６へ処理が進められる。
【００４２】
ステップＳ１１５にて、制御部１０９は、フロントパネル１０４の印加電圧として、対象画像データに応じた電圧（通常電圧）を決定する。図５は、対象画像データの階調値と、通常電圧との対応関係の一例を示す図である。ステップＳ１１５では、例えば、図５の対応関係に従い、対象画像データの階調値が６である場合に、通常電圧３．８Ｖが、フロントパネル１０４の印加電圧として決定される。
【００４３】
ステップＳ１１６にて、制御部１０９は、ステップＳ１１３で算出した応答速度差に応じて、フロントパネル１０４の印加電圧として、オーバードライブ電圧を決定する。ステップＳ１１６では、例えば、図５の対応関係に基づいて、対象画像データの階調値が６である場合に、階調値６よりも大きい階調値７に対応する通常電圧５Ｖ（オーバードライブ電圧）が、フロントパネル１０４の印加電圧として決定される。
【００４４】
ステップＳ１１７にて、制御部１０９は、ステップＳ１１５またはステップＳ１１６で決定した印加電圧を、フロントパネル駆動回路部１０２に通知する。これにより、ステップＳ１１３で算出された応答速度差が所定の閾値よりも大きい場合には、フロントパネル１０４のオーバードライブ駆動が行われる。一方で、ステップＳ１１３で算出された応答速度差が所定の閾値以下である場合には、フロントパネル１０４のオーバードライブ駆動は行われずに、フロントパネル１０４の印加電圧が通常電圧に制御される。
【００４５】
図３の処理フローは、対象画像データが更新される度に行われる。例えば、図３の処理フローは、１制御期間ごとや１フレーム期間ごとに行われる。なお、温度情報の取得（ステップＳ１１１）などは、対象画像データが更新される頻度（例えばフレームレート）より低い頻度で行われてもよい。例えば、表示装置１００の起動直後の期間、バックライトモジュール１０６の発光輝度が変化した直後の期間、等のように、表示装置１００の各種温度が安定しない期間では、温度情報の取得を随時行うことが好ましい。しかし、表示装置１００の各種温度が安定している場合には、温度情報の取得を随時行わずに、温度情報を一定とみなして他の処理を行ってもよい。
【００４６】
本実施例の効果（フロントパネル１０４のオーバードライブ駆動による効果）の具体例について説明する。ここでは、簡単化のため、対象画像データの階調値も処理画像データの階調値も３ビットの値（０以上かつ７以下の値）であるとする。但し、処理画像データのビット数と対象画像データのビット数とは特に限定されず、処理画像データのビット数は対象画像データのビット数と異なってもよい。また、簡単化のため、処理画像データの階調値と処理画像データに応じた電圧（通常電圧）との対応関係は、対象画像データの階調値と対象画像データに応じた電圧（通常電圧）との対応関係（図５の対応関係）と等しいとする。但し、それらの対応関係は特に限定されず、処理画像データの階調値と処理画像データに応じた電圧との対応関係は、対象画像データの階調値と対象画像データに応じた電圧との対応関係と異なってもよい。
【００４７】
図６は、階調値（対象画像データの階調値、及び、処理画像データの階調値）の時間変化の一例を示す図である。図６の例では、対象画像データの階調値も処理画像データの階調値も同じタイミングで２から６へ増加する。この場合に、オーバードライブ駆動を行わない従来技術では、階調値が２から６へ増加するタイミングで、フロントパネル１０４の印加電圧もバックパネル１０５の印加電圧も３Ｖから３．８Ｖへ増加する。その結果、図７に示すように、フロントパネル１０４の透過率とバックパネル１０５の透過率とが時間変化（増加）する。図７において、透過率２は階調値２に応じた目標の透過率であり、透過率６は階調値６に応じた目標の透過率である。バックパネル１０５の応答速度がフロントパネル１０４の応答速度よりも速いため、図７では、フロントパネル１０４の透過率が目標の透過率６に到達するタイミングよりも前に、バックパネル１０５の透過率が目標の透過率６に到達する。そして、このようなタイミング（透過率が目標の透過率に到達するタイミング）のずれにより、表示画像（表示面に表示された画像）の画質劣化が生じる。
【００４８】
上記画質劣化が生じる具体例について説明する。図８は、対象画像データによって表された画像の一例を示す図である。図８の例では、階調値２の背景の中央に、階調値６のパッチが存在する。図９は、表示輝度（表示面の輝度；表示画像の輝度）の分布、フロントパネル１０４の透過率の分布、及び、バックパネル１０５の透過率の分布の一例を示す図である。図９の分布は、図８の画像を表示する場合の分布であり、図８の破線８００上での分布である。バックパネル１０５の透過率は処理画像データ（空間ローパス処理後の画像データ）に応じて制御されるため、バックパネル１０５では、透過率の空間的な高周波成分が抑圧されている。ここで、パッチが水平方向（破線８００に沿った方向）にスクロールしたとする。その場合には、各分布が図９の分布から図１０の分布へ時間変化する。具体的には、バックパネル１０５の応答速度がフロントパネル１０４の応答速度よりも速いため、フロントパネル１０４の透過率の分布と、バックパネル１０５の透過率の分布とのずれが生じ、当該ずれによる輝度損失（画質劣化）が生じる。
【００４９】
そこで、本実施例では、フロントパネル１０４の応答速度とバックパネル１０５の応答速度との差が所定の閾値以下に低減されるように、フロントパネル１０４のオーバードライブ駆動を行う。例えば、図６のような階調値の時間変化が生じた場合には、図１１のように印加電圧を制御する。具体的には、図３のステップＳ１１６にて、フロントパネル１０４の印加電圧として、通常電圧３．８Ｖよりも高いオーバードライブ電圧５Ｖが決定される。ステップＳ１１７にて、決定されたオーバードライブ電圧５Ｖがフロントパネル駆動回路部１０２に通知される。そして、図１１に示すように、１制御期間において通常電圧３．８Ｖよりも高いオーバードライブ電圧５Ｖをフロントパネル１０４に対して一時的に印加するオーバードライブ駆動が行われる。その結果、図１２に示すように、フロントパネル１０４の応答速度が高められ、フロントパネル１０４の応答速度とバックパネル１０５の応答速度との差が低減され、上述した画質劣化が低減される。
【００５０】
以上述べたように、本実施例によれば、１制御期間において、フロントパネル１０４とバックパネル１０５の応答速度差が所定の閾値以下になるように、フロントパネル１０４の印加電圧が、対象画像データに応じた電圧よりも高い電圧に一時的に制御される。これにより、フロントパネル１０４とバックパネル１０５の応答速度差に起因した表示画像の画質劣化を抑制できる。なお、画質劣化をより抑制するためには、フロントパネル１０４の応答速度がバックパネル１０５の応答速度と略一致するようにフロントパネル１０４のオーバードライブ駆動を行うことが好ましい。
【００５１】
なお、上述したように、図３のステップＳ１１１では、バックライトモジュール１０６の発光輝度と表示装置１００の外部温度とに基づいて、フロントパネル１０４の温度とバックパネル１０５の温度とが推定されてもよい。この場合には、例えば、表示装置１００は、表示装置１００の外部温度を検出する温度センサと、ユーザ操作に応じてバックライ
トモジュール１０６の発光輝度を制御する発光制御部とを有する。そして、制御部１０９は、外部温度とユーザ操作とに基づいてフロントパネル１０４の温度とバックパネル１０５の温度とを推定することにより、その推定結果を温度情報として取得する。ユーザ操作は、ユーザが画質調整メニュー画面などを用いて表示輝度の上限を指定する操作などである。バックライトモジュール１０６の発光輝度は、表示輝度の上限が低いほど低い発光輝度に制御される。制御部１０９は、バックライトモジュール１０６の発光輝度、表示装置１００の外部温度、フロントパネル１０４の温度、及び、バックパネル１０５の温度の所定の対応関係に基づいて、フロントパネル１０４の温度とバックパネル１０５の温度とを推定できる。
【００５２】
バックライトモジュール１０６の発光輝度が低い場合を考える。この場合には、バックライトモジュール１０６の温度、バックライトモジュール１０６から発せられた光、等に起因したバックパネル１０５の温度上昇は小さい。このため、フロントパネル１０４とバックパネル１０５の温度差は小さい。上述したように、フロントパネル１０４の温度とバックパネル１０５の温度との少なくとも一方が低い場合には、そうでない場合に比べ、フロントパネル１０４とバックパネル１０５の応答速度差が生じやすい。外部温度が低い場合には、フロントパネル１０４の温度とバックパネル１０５の温度とが低くなるため、フロントパネル１０４とバックパネル１０５の温度差が小さくても、オーバードライブ駆動が必要となる可能性は高い。一方で、フロントパネル１０４の温度とバックパネル１０５の温度とが高い場合には、そうでない場合に比べ、フロントパネル１０４とバックパネル１０５の応答速度差が生じ難い。外部温度が高い場合には、フロントパネル１０４の温度とバックパネル１０５の温度とが高くなるため、フロントパネル１０４とバックパネル１０５の温度差が小さければ、オーバードライブ駆動が必要となる可能性は低い。
【００５３】
ステップＳ１１４で、フロントパネル１０４の応答速度とバックパネル１０５の応答速度との差が所定の閾値以上であるかに否かに基づいて、オーバードライブ駆動が必要であるか否かを判定したが、これに限らない。例えば、フロントパネル１０４の温度とバックパネル１０５の温度との差が閾値以上であるか否かに基づいてオーバードライブ駆動が必要であるか否かを判定してもよい。具体的には、バックパネル１０５の温度がフロントパネル１０４の温度よりも閾値以上高い場合に、フロントパネル１０４をオーバードライブ駆動する。すなわち、バックパネル１０５の温度がフロントパネル１０４の温度よりも閾値以上高い場合に、そうでない場合よりも、フロントパネル１０４の駆動のために印加される電圧（印加電圧）が高くなるように、フロントパネル１０４が制御される。
【００５４】
また、応答速度差や温度差所定と比較される上記閾値は、フロントパネル１０４の温度、バックパネル１０５の温度、表示装置１００の外部温度、バックライトモジュール１０６の発光量のいずれかに応じて、変化する値であってもよい。上述したように、各パネルの温度が高いほど、パネル間の温度差に基づくパネル間の応答速度差が小さい。すなわち、パネル間の応答速度差へのパネル間の温度差の影響度は、各パネルの温度が高いほど小さい。したがって、フロントパネル１０４の温度、バックパネル１０５の温度、表示装置１００の外部温度、バックライトモジュール１０６の発光量のいずれかが所定の値よりも高い場合に、そうでない場合よりも閾値を大きく設定することが可能である。フロントパネル１０４の温度、バックパネル１０５の温度、表示装置１００の外部温度、バックライトモジュール１０６の発光量のいずれかが高いほど、大きい値を閾値としてもよい。
【００５５】
なお、本実施例では、バックパネル１０５の温度がフロントパネル１０４の温度よりも高い場合について例示したが、フロントパネル１０４の温度がバックパネル１０５の温度よりも高い場合においても、同様にオーバードライブ駆動を行うことが可能である。この場合、フロントパネル１０４の温度がバックパネル１０５の温度よりも閾値以上高い場合に、バックパネル１０５をオーバードライブ駆動する。
【００５６】
また、パネルの温度と応答速度との関係が上述したような「温度が高いほど応答速度が速い」関係ではなく、「温度が高いほど応答速度が低い」関係である場合は、上述の処理とは逆となる。すなわち、バックパネル１０５の温度がフロントパネル１０４の温度よりも閾値以上低い場合に、フロントパネル１０４をオーバードライブ駆動する。または、フロントパネル１０４の温度がバックパネル１０５の温度よりも閾値以上低い場合に、バックパネル１０５をオーバードライブ駆動する。
【００５７】
＜実施例２＞
以下、本発明の実施例２について説明する。なお、実施例１と異なる点（構成や処理）について詳しく説明し、実施例１と同じ点についての説明は省略する。
【００５８】
透過パネルの応答速度は、開始階調値（変化前の階調値）と終了階調値（変化後の階調値）に依存することがある。一般的には、中間階調値から他の中間階調値への階調変化に対応する応答速度は、中間階調値から低階調値（例えば０）または高階調値（例えば上限値）への階調変化に対応する応答速度よりも遅い。階調変化と応答速度の対応関係の一例を図１３に示す。ここで、開始階調値が５である場合を考える。図１３では、終了階調値が０である場合の応答速度は１５ｍｓｅｃであるが、終了階調値が３である場合の応答速度は３０ｍｓｅｃである。
【００５９】
また、２枚の透過パネルを有する表示装置では、各透過パネルに対して同じガンマ値を設定すると、設定されたガンマ値の２乗のガンマカーブ（階調特性）で画像が表示される。そのため、所望のガンマ値の平方根を取った値が各液晶パネルに設定されたり、各透過パネルのガンマカーブを合わせる（合成する）ことで所望のガンマカーブが得られるように、互いに異なる２つのガンマ値が２枚の透過パネルに設定されたりする。図１４は、フロントパネル１０４とバックパネル１０５の階調特性の一例を示す。図１４の横軸は入力階調値（対象画像データの階調値）を示し、図１４の縦軸は出力階調値（設定された階調特性に従って入力階調値を変換して得られる階調値）を示す。フロントパネル１０４に対しては、入力階調値と同じ出力階調値が得られるように、入力階調値の変化に対して出力階調値が線形に変化する階調特性が割り当てられている。そして、バックパネル１０５に対しては、フロントパネル１０４の階調特性とバックパネル１０５の階調特性とを合成することで所望の階調特性が得られるように、入力階調値の変化に対して出力階調値が非線形に変化する階調特性が割り当てられている。
【００６０】
従って、フロントパネル１０４の階調特性がバックパネル１０５の階調特性と異なる場合には、フロントパネル１０４とバックパネル１０５の間で、入力階調値の時間変化に対する出力階調値の時間変化が異なることとなる。そのため、フロントパネル１０４の出力階調値の時間変化とバックパネル１０５の出力階調値の時間変化とを考慮せずにオーバードライブ駆動を行うと、出力階調値の時間変化の差に起因した応答速度差を高精度に低減できないことがある。
【００６１】
図１５は、本実施例に係る表示装置２００の構成の一例を示すブロック図である。図１５において、図２（実施例１）と同じ機能部には図２と同じ符号が付されている。
【００６２】
階調分配部２１０は、画像データ入力部１０１によって取得された対象画像データからフロント画像データとバック画像データを生成する。具体的には、階調分配部２１０は、対象画像データをデコードする。そして、階調分配部２１０は、対象画像データの各画素の階調値（入力階調値）をフロントパネル１０４の階調特性に従って出力階調値に変換することにより、フロント画像データを生成する。また、階調分配部２１０は、対象画像データの各画素の階調値（入力階調値）をバックパネル１０５の階調特性に従って出力階調
値に変換することにより、バック画像データを生成する。そして、階調分配部２１０は、フロント画像データをフロントパネル駆動回路部１０２へ出力し、バック画像データをバックパネル駆動回路部１０３へ出力する（対象画像データの階調値の分配）。また、階調分配部２１０は、フロント画像データとバック画像データを制御部１０９へ出力する。
【００６３】
フロントパネル駆動回路部１０２は対象画像データの代わりにフロント画像データを使用し、バックパネル駆動回路部１０３は対象画像データの代わりにバック画像データを使用する。このため、フロントパネル１０４の透過率は、フロント画像データに基づく電圧の印加によって制御され、バックパネル１０５の透過率は、バック画像データに基づく電圧の印加によって制御される。
【００６４】
制御部１０９は、実施例１と同様の処理を行う。但し、制御部１０９は、フロント画像データの階調変化とバック画像データの階調変化とをさらに考慮して、フロントパネル１０４の印加電圧を決定する。
【００６５】
対象画像データの階調値が２から６へ時間変化する場合の例を説明する。ここでは、フロントパネル１０４の温度が２３℃であり、バックパネル１０５の温度が２５℃であるとする。フロントパネル１０４の階調特性とバックパネル１０５の階調特性とは特に限定されないが、それらの階調特性が図１４の階調特性であるとする。また、簡単化のため、フロント画像データの階調変化とフロントパネル１０４の応答速度との対応関係、及び、バック画像データの階調変化とバックパネル１０５の応答速度との対応関係が、図１３の対応関係であるとする。但し、それらの対応関係は特に限定されず、フロント画像データの階調変化とフロントパネル１０４の応答速度との対応関係は、バック画像データの階調変化とバックパネル１０５の応答速度との対応関係と異なってもよい。
【００６６】
図３のステップＳ１１２では、制御部１０９は、フロント画像データの階調変化に対応するフロントパネル１０４の応答速度と、バック画像データの階調変化に対応するバックパネル１０５の応答速度とを判断する処理をさらに行う。また、ステップＳ１１３では、制御部１０９は、階調変化に基づいて判断した上記２つの応答速度の差を算出する処理をさらに行う。
【００６７】
図１４の階調特性に従い、対象画像データの階調値が２から６へ時間変化すると、フロント画像データの階調値は２から６へ時間変化し、バック画像データの階調値は４から７へ時間変化する。図１３の対応関係では、開始階調値２かつ終了階調値６の場合の応答速度は３０ｍｓｅｃであり、開始階調値４かつ終了階調値７の場合の応答速度は２５ｍｓｅｃである。このため、フロント画像データの階調変化に対応するフロントパネル１０４の応答速度が３０ｍｓｅｃであり、バック画像データの階調変化に対応するバックパネル１０５の応答速度が２５ｍｓｅｃであると判断される。そして、階調変化に基づく応答速度差として５ｍｓｅｃ（＝３０ｍｓｅｃ−２５ｍｓｅｃ）が算出される。
【００６８】
また、上述したように、フロントパネル１０４の温度は２３℃であり、バックパネル１０５の温度は２５℃である。このため、図４の応答速度情報から、フロントパネル１０４の応答速度が３０ｍｓｅｃであると判断され、バックパネル１０５の応答速度が２８ｍｓｅｃであると判断される。そして、温度差に基づく応答速度差として２ｍｓｅｃ（＝３０ｍｓｅｃ−２８ｍｓｅｃ）が算出される。
【００６９】
図３のステップＳ１１４では、階調変化に基づく応答速度差５ｍｓｅｃと温度差に基づく応答速度差２ｍｓｅｃとの合計７ｍｓｅｃが所定の閾値５ｍｓｅｃと比較される。合計７ｍｓｅｃは所定の閾値５ｍｓｅｃよりも大きいため、ステップＳ１１６へ処理が進められ、フロントパネル１０４のオーバードライブ駆動が行われる。なお、フロントパネル１
０４の階調特性がバックパネル１０５の階調特性と等しい場合には、温度差に基づく応答速度差２ｍｓｅｃは生じるが、階調変化に基づく応答速度差は生じない。温度差に基づく応答速度差２ｍｓｅｃは所定の閾値５ｍｓｅｃ以下であるため、ステップＳ１１５へ処理が進められ、オーバードライブ駆動は行われない。
【００７０】
以上述べたように、本実施例によれば、フロント画像データの階調変化とバック画像データの階調変化とをさらに考慮して、オーバードライブ駆動が行われる。これにより、フロントパネル１０４とバックパネル１０５の応答速度差に起因した表示画像の画質劣化をより高精度に抑制できる。
【００７１】
実施例１，２の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００７２】
実施例１，２はあくまで一例であり、本発明の要旨の範囲内で実施例１，２の構成を適宜変形したり変更したりすることにより得られる構成も、本発明に含まれる。実施例１，２の構成を適宜組み合わせて得られる構成も、本発明に含まれる。
【００７３】
例えば、バックパネル駆動回路部１０３にもオーバードライブ回路を搭載し、フロントパネル１０４とバックパネル１０５の両方をオーバードライブ駆動してもよい。例えば、バックパネル１０５のオーバードライブ駆動により、バックパネル１０５の応答速度が高められてもよい。そして、バックパネル１０５の応答速度（オーバードライブ駆動後の応答速度）にフロントパネル１０４の応答速度が合うように、フロントパネル１０４のオーバードライブ駆動が行われてもよい。
【００７４】
フロントパネル１０４の温度とバックパネル１０５の温度と考慮せずに、フロント画像データの階調変化とバック画像データの階調変化とのみが考慮されてもよい。すなわち、温度差に基づく応答速度差を考慮せずに、階調変化に基づく応答速度差が考慮されてもよい。他の応答速度差が考慮されてもよい。例えば、フロントパネル１０４の種類とバックパネル１０５の種類との違いに基づく応答速度差が考慮されてもよい。その場合には、温度差に基づく応答速度差、階調変化に基づく応答速度差、等は考慮されてもよいし、考慮されなくてもよい。
【００７５】
応答速度の判断（図３のステップＳ１１２）、応答速度差の算出（ステップＳ１１３）、等は行われなくてもよい。それらの処理が行われずに、温度情報、外部温度、ユーザ操作、等に応じてフロントパネル１０４やバックパネル１０５の印加電圧が制御されてもよい。
【００７６】
表示装置１００は、３枚以上の透過パネルを有していてもよい。その場合には、３枚以上の透過パネルの応答速度差が低減されるように、少なくとも１つの透過パネルのオーバードライブ駆動が行われればよい。
【００７７】
＜その他の実施例＞
本発明は、上述の実施例の１以上の機能を実現するプログラムを、ネットワーク又は記憶媒体を介してシステム又は装置に供給し、そのシステム又は装置のコンピュータにおけ
る１つ以上のプロセッサがプログラムを読出し実行する処理でも実現可能である。また、１以上の機能を実現する回路（例えば、ＡＳＩＣ）によっても実現可能である。
【符号の説明】
【００７８】
１００，２００：表示装置
１０２：フロントパネル駆動回路部  １０３：バックパネル駆動回路部
１０４：フロントパネル  １０５：バックパネル
１０６：バックライトモジュール  １０９：制御部
【図１】
2019191237.tif 000003
【図２】
2019191237.tif 000004
【図３】
2019191237.tif 000005
【図４】
2019191237.tif 000006
【図５】
2019191237.tif 000007
【図６】
2019191237.tif 000008
【図７】
2019191237.tif 000009
【図８】
2019191237.tif 000010
【図９】
2019191237.tif 000011
【図１０】
2019191237.tif 000012
【図１１】
2019191237.tif 000013
【図１２】
2019191237.tif 000014
【図１３】
2019191237.tif 000015
【図１４】
2019191237.tif 000016
【図１５】
2019191237.tif 000017